(57)【要約】【課題】弾性シール部材がプラグコネクタの抜去と共に離脱するといった不具合は発生せず、複数の嵌合穴を密に集合配置して小型化可能な集合型防水レセプタクルコネクタを提供する。【解決手段】複数のプラグコネクタがそれぞれ嵌合される複数の嵌合穴３１が一面に形成されたハウジング３０と、複数の嵌合穴３１にそれぞれ続く複数の開口５１ａを有し、複数の開口５１ａの各内壁面がシール面５１ｂとされて複数の嵌合穴３１の内端に配置された弾性シール部材５０と、複数の嵌合穴３１に先端がそれぞれ位置するコンタクト８０を保持するリテーナ６０とを備え、弾性シール部材５０はハウジング３０とリテーナ６０とによって挟み込まれて複数の開口５１ａがリテーナ６０によって蓋されている。【選択図】図２
2020205211.tif 000002
【特許請求の範囲】
【請求項１】
複数のプラグコネクタが接続される集合型防水レセプタクルコネクタであって、
前記複数のプラグコネクタがそれぞれ嵌合される複数の嵌合穴が一面に形成されたハウジングと、
前記複数の嵌合穴にそれぞれ続く複数の開口を有し、前記複数の開口の各内壁面がシール面とされて前記複数の嵌合穴の内端に配置された弾性シール部材と、
前記複数の嵌合穴に先端がそれぞれ位置するコンタクトを保持するリテーナとを備え、
前記弾性シール部材は前記ハウジングと前記リテーナとによって挟み込まれて前記複数の開口が前記リテーナによって蓋されていることを特徴とする集合型防水レセプタクルコネクタ。
【請求項２】
請求項１に記載の集合型防止レセプタクルコネクタにおいて、
前記複数の嵌合穴は隔壁を介して互いに隣接され、
前記複数の開口は仕切り壁を介して互いに隣接され、
前記隔壁の内端面に、前記内端面上に突出する第１の突出壁が形成され、
前記第１の突出壁は前記仕切り壁の、前記内端面と対向する面に形成されている第１の溝に嵌め込まれていることを特徴とする集合型防水レセプタクルコネクタ。
【請求項３】
請求項１に記載の集合型防水レセプタクルコネクタにおいて、
前記複数の開口は仕切り壁を介して互いに隣接され、
前記仕切り壁の前記リテーナと対向する面に第２の突出壁が突出形成され、
前記第２の突出壁は前記リテーナに形成されている第２の溝に嵌め込まれていることを特徴とする集合型防水レセプタクルコネクタ。
【請求項４】
請求項２に記載の集合型防水レセプタクルコネクタにおいて、
前記仕切り壁の前記リテーナと対向する面に第２の突出壁が突出形成され、
前記第２の突出壁は前記リテーナに形成されている第２の溝に嵌め込まれていることを特徴とする集合型防水レセプタクルコネクタ。
【請求項５】
請求項１から４までの何れかに記載の集合型防水レセプタクルコネクタにおいて、
前記リテーナの、前記複数の開口を蓋する面とは反対面側に基板が位置し、
前記コンタクトはピンコンタクトとされて前記基板に実装されていることを特徴とする集合型防水レセプタクルコネクタ。
【発明の詳細な説明】
【技術分野】
【０００１】
この発明は複数のプラグコネクタが接続される集合型防水レセプタクルコネクタに関する。
【背景技術】
【０００２】
図２２及び２３は特許文献１に記載されている防水コネクタ装置を示したものであり、防水コネクタ装置は互いに嵌合可能なレセプタクルコネクタ１０とプラグコネクタ２０とよりなる。図２２はレセプタクルコネクタ１０とプラグコネクタ２０の嵌合前の状態を示し、図２３はレセプタクルコネクタ１０とプラグコネクタ２０が嵌合された状態の内部構造を示している。
【０００３】
レセプタクルコネクタ１０とプラグコネクタ２０には図示されていないが、それぞれ複数のケーブルが接続され、レセプタクルコネクタ１０とプラグコネクタ２０の内部にはそれぞれ各ケーブルに対応して複数のコンタクト（図示されていない）が設けられている。
【０００４】
プラグコネクタ２０はハウジング２１と、ハウジング２１によって保持された複数のコンタクトとを有する。ハウジング２１にはレセプタクルコネクタ１０との間にロックを形成する弾性係止片２２が設けられており、弾性係止片２２にはロック突部２３が設けられている。
【０００５】
レセプタクルコネクタ１０はハウジング１１と、ハウジング１１によって保持された複数のコンタクトと、弾性シール部材１２とを有する。ハウジング１１にはプラグコネクタ２０が挿入される中空部１３が設けられ、さらにプラグコネクタ２０との間でロックを達成するロック孔１４が設けられている。
【０００６】
弾性シール部材１２はゴムや樹脂等よりなり、中空部１３の内部に配置されて防水機能を発揮する本体部１２ａと、中空部１３の外部に配置されて弾性シール部材１２をハウジング１１に対して係止させる被係止部１２ｂとを含む。本体部１２ａは環状体をなし、被係止部１２ｂは本体部１２ａの平面視略矩形状の３辺の上部周縁から本体部１２ａの径の中心から離れる方向に延出されて３個設けられている。
【０００７】
弾性シール部材１２はハウジング１１の中空部１３に挿入されて図２３に示したようにハウジング１１の所定位置に設置されている。本体部１２ａの外周面に設けられている環状の外面突起１２ｃはハウジング１１の内周面に圧接状態で密着し、これによってハウジング１１の内周面と弾性シール部材１２の外面との間が防水される。
【０００８】
一方、本体部１２ａの内周面には環状の内面突起１２ｄが設けられており、内面突起１２ｄはレセプタクルコネクタ１０の中空部１３にプラグコネクタ２０が挿入されると図２３に示したように押しつぶされてプラグコネクタ２０と密着し、これによってプラグコネクタ２０の外面と弾性シール部材１２の内面との間が防水されるものとなっている。
【０００９】
ハウジング１１の中空部１３には弾性シール部材１２の被係止部１２ｂに対応して図２２に示したように上方及び左右側方に張り出した拡径部１５，１６が設けられており、さらにハウジング１１には被係止部１２ｂが設置されて係止される設置部１７が設けられている。
【先行技術文献】
【特許文献】
【００１０】
【特許文献１】特開２０１６−４６８４号公報
【発明の概要】
【発明が解決しようとする課題】
【００１１】
ところで、プラグコネクタが接続されるレセプタクルコネクタにおいては上述したように１つのプラグコネクタが接続されるものに限らず、複数のプラグコネクタが接続される集合型のレセプタクルコネクタもあり、このような集合型レセプタクルコネクタは例えばあるプラグコネクタから入力された信号を中継して他のプラグコネクタへ出力するといった中継用途に使用されている。
【００１２】
このような集合型レセプタクルコネクタにおいて防水性を具備するものとする場合、例えば上述した特許文献１に記載されているような構成を有するレセプタクルコネクタ１０を複数個、集合することによって集合型防水レセプタクルコネクタを構成すると、弾性シール部材１２の被係止部１２ｂや弾性シール部材１２の挿入、設置のためのハウジング１１の拡径部１５，１６や設置部１７が占める空間がすべての互いに隣接するレセプタクルコネクタ間に存在することになり、よって密な集合ができず、小型化できないといった問題が生じる。
【００１３】
これに対し、例えば被係止部１２ｂや設置部１７等を廃してしまえば密な集合とすることができるが、弾性シール部材１２がハウジング１１に対して係止されなくなるので、レセプタクルコネクタ１０に嵌合されたプラグコネクタ２０を抜去すると、ハウジング１１に係止されていない弾性シール部材１２がプラグコネクタ２０の周囲に嵌着した状態でハウジング１１から離脱し、プラグコネクタ２０と共に抜去されてしまうといった不具合が生じる虞がある。
【００１４】
この発明の目的はこのような状況に鑑み、弾性シール部材が離脱してしまうといった不具合が生じることのない小型な集合型防水レセプタクルコネクタを提供することにある。
【課題を解決するための手段】
【００１５】
請求項１の発明によれば、複数のプラグコネクタが接続される集合型防水レセプタクルコネクタは、複数のプラグコネクタがそれぞれ嵌合される複数の嵌合穴が一面に形成されたハウジングと、複数の嵌合穴にそれぞれ続く複数の開口を有し、複数の開口の各内壁面がシール面とされて複数の嵌合穴の内端に配置された弾性シール部材と、複数の嵌合穴に先端がそれぞれ位置するコンタクトを保持するリテーナとを備え、弾性シール部材はハウジングとリテーナとによって挟み込まれて複数の開口がリテーナによって蓋されているものとされる。
【００１６】
請求項２の発明では請求項１の発明において、複数の嵌合穴は隔壁を介して互いに隣接され、複数の開口は仕切り壁を介して互いに隣接され、隔壁の内端面に、内端面上に突出する第１の突出壁が形成され、第１の突出壁は仕切り壁の、前記内端面と対向する面に形成されている第１の溝に嵌め込まれているものとされる。
【００１７】
請求項３の発明では請求項１の発明において、複数の開口は仕切り壁を介して互いに隣接され、仕切り壁のリテーナと対向する面に第２の突出壁が突出形成され、第２の突出壁はリテーナに形成されている第２の溝に嵌め込まれているものとされる。
【００１８】
請求項４の発明では請求項２の発明において、仕切り壁のリテーナと対向する面に第２の突出壁が突出形成され、第２の突出壁はリテーナに形成されている第２の溝に嵌め込まれているものとされる。
【００１９】
請求項５の発明では請求項１から４までの何れかの発明において、リテーナの、複数の開口を蓋する面とは反対面側に基板が位置し、コンタクトはピンコンタクトとされて基板に実装されているものとされる。
【発明の効果】
【００２０】
この発明によれば、複数の嵌合穴に配置される弾性シール部材は一体化されてハウジングとリテーナとによって挟み込まれて保持されるものとなっている。よって、従来の弾性シール部材に設けられているようなハウジングに係止される被係止部がなくてもプラグコネクタの抜去に伴い、弾性シール部材が離脱してプラグコネクタと共に抜去されてしまうといった不具合は発生せず、また弾性シール部材をこのように構成したことにより、複数の嵌合穴を密に集合して配置することができるため、集合型防水レセプタクルコネクタの小型化を図ることができる。
【図面の簡単な説明】
【００２１】
【図１】Ａはこの発明による集合型防水レセプタクルコネクタの実施例１を示す平面図、Ｂはその正面図、Ｃはその斜視図。
【図２】図１Ａに示した集合型防水レセプタクルコネクタの上方から見た分解斜視図。
【図３】図１Ａに示した集合型防水レセプタクルコネクタの下方から見た分解斜視図。
【図４】図１Ａに示した集合型防水レセプタクルコネクタにプラグコネクタが接続される様子を示す斜視図。
【図５】図１Ａに示した集合型防水レセプタクルコネクタにプラグコネクタが４つ接続された状態を示す斜視図。
【図６】Ａは図１Ａに示した集合型防水レセプタクルコネクタにプラグコネクタが２つ接続された状態を示す平面図、ＢはＡのＣ−Ｃ線部分断面図。
【図７】Ａは図１Ａに示した集合型防水レセプタクルコネクタにプラグコネクタが４つ接続された状態を示す平面図、ＢはＡのＣ−Ｃ線部分断面図。
【図８】Ａはこの発明による集合型防水レセプタクルコネクタの実施例２を示す平面図、Ｂはその正面図、Ｃはその斜視図。
【図９】図８Ａに示した集合型防水レセプタクルコネクタの上方から見た分解斜視図。
【図１０】図８Ａに示した集合型防水レセプタクルコネクタの下方から見た分解斜視図。
【図１１】図８Ａに示した集合型防水レセプタクルコネクタにプラグコネクタが接続される様子を示す斜視図。
【図１２】図８Ａに示した集合型防水レセプタクルコネクタにプラグコネクタが４つ接続された状態を示す斜視図。
【図１３】Ａは図８Ａに示した集合型防水レセプタクルコネクタにプラグコネクタが２つ接続された状態を示す平面図、ＢはＡのＣ−Ｃ線部分断面図。
【図１４】Ａは図８Ａに示した集合型防水レセプタクルコネクタにプラグコネクタが４つ接続された状態を示す平面図、ＢはＡのＣ−Ｃ線部分断面図。
【図１５】Ａはこの発明による集合型防水レセプタクルコネクタの実施例３を示す平面図、Ｂはその正面図、Ｃはその斜視図。
【図１６】図１５Ａに示した集合型防水レセプタクルコネクタの上方から見た分解斜視図。
【図１７】図１５Ａに示した集合型防水レセプタクルコネクタの下方から見た分解斜視図。
【図１８】図１５Ａに示した集合型防水レセプタクルコネクタにプラグコネクタが接続される様子を示す斜視図。
【図１９】図１５Ａに示した集合型防水レセプタクルコネクタにプラグコネクタが４つ接続された状態を示す斜視図。
【図２０】Ａは図１５Ａに示した集合型防水レセプタクルコネクタにプラグコネクタが２つ接続された状態を示す平面図、ＢはＡのＣ−Ｃ線部分断面図。
【図２１】Ａは図１５Ａに示した集合型防水レセプタクルコネクタにプラグコネクタが４つ接続された状態を示す平面図、ＢはＡのＣ−Ｃ線部分断面図。
【図２２】レセプタクルコネクタとプラグコネクタの従来例を示す斜視図。
【図２３】図２２に示したレセプタクルコネクタとプラグコネクタが嵌合された状態を示す断面斜視図。
【発明を実施するための形態】
【００２２】
この発明の実施形態を図面を参照して実施例により説明する。
【実施例１】
【００２３】
図１はこの発明による集合型防水レセプタクルコネクタの実施例１の外観を示したものであり、図２及び３は各部に分解して示したものである。この例では集合型防水レセプタクルコネクタ１００は図２及び３に示したように、ハウジングを構成する上ハウジング３０及び下ハウジング４０と弾性シール部材５０とリテーナ６０と基板７０とコンタクト８０とよりなる。コンタクト８０はピンコンタクトとされ、図２及び３では多数のコンタクト８０がリテーナ６０に保持された状態として示している。まず、各部の構成を説明する。
【００２４】
上ハウジング３０は略直方体形状をなし、この例では上面（一面）３０ａにプラグコネクタがそれぞれ嵌合される嵌合穴３１が４つ形成されている。嵌合穴３１は上ハウジング３０の上下方向に貫通形成された角穴３１ａの一内壁面に、上ハウジング３０の上下方向に延伸する凹溝３１ｂが形成された形状とされ、上面３０ａにおける開口形状は凸字形状をなす。凹溝３１ｂは上面３０ａから所定の位置まで形成されており、上端には凹溝３１ｂの深さが浅くされて段部３１ｃが形成されている。
【００２５】
４つの嵌合穴３１は上ハウジング３０の上下方向の中心軸を軸として４回対称（４回回転対称）をなすように形成されており、隣接する嵌合穴３１間には凹溝３１ｂが位置しないように形成されている。
【００２６】
上ハウジング３０の下面３０ｂには４つの角穴３１ａを包含する大きさとされ、かつ上ハウジング３０の４つの側壁３２にそれぞれ向かってやや拡大された大きさを有する凹部３３が形成されている。隣接する嵌合穴３１間に位置する隔壁３４は全体として略十字形状をなし、凹部３３に臨む隔壁３４の下端面（内端面）３４ａには第１の突出壁３５が隔壁３４の全長に渡り、下端面３４ａ上に突出して形成されている。さらに、このように形成されて略十字形状をなす第１の突出壁３５の十字の中央には凸部３６が凹部３３にさらに突出するように形成されている。
【００２７】
一方、互いに対向する一対の側壁３２の外面には互いに外向きに突出する取付け部３７が形成されており、取付け部３７にはそれぞれ取付け穴３７ａが形成されている。さらに、これら取付け部３７が形成されている側壁３２にはそれぞれ幅方向において取付け部３７を挟む両側に一対の突起３８が突出形成されている。
【００２８】
弾性シール部材５０は上ハウジング３０の４つの嵌合穴３１にそれぞれ嵌合される４つのプラグコネクタに対してそれぞれ防水機能を発揮する４つのシール部５１がベース部５２によって一体化された形状を有する。シール部５１は方形の開口５１ａ有する枠状をなし、開口５１ａの内壁面がシール面５１ｂとされている。シール面５１ｂには全周に渡って延びる突起５１ｃが突出形成されている。突起５１ｃはこの例では２段、形成されている。
【００２９】
４つのシール部５１の集合体の輪郭形状は上ハウジング３０の凹部３３の形状に合致されており、隣接する開口５１ａ間に位置する仕切り壁５３は全体として略十字形状をなし、仕切り壁５３の上面（上ハウジング３０の隔壁３４の下端面３４ａと対向する面）には第１の溝５４が略十字形状をなすように形成されている。なお、略十字形状をなす仕切り壁５３の十字の中央には貫通穴５５が形成されている。
【００３０】
ベース部５２は４つのシール部５１の集合体の外側に位置してシール部５１の下端を支持しており、方形の外形形状を有する。弾性シール部材５０の下面５０ａには４つの開口５１ａの集合体の輪郭形状と合致する形状の凹部５６が設けられており、略十字形状をなす仕切り壁５３は凹部５６に臨んでいる。
【００３１】
リテーナ６０は弾性シール部材５０の凹部５６に合致する外形形状を有する板状体とされ、その厚さ方向の下半部は上半部よりやや外形が大とされている。
【００３２】
コンタクト８０はリテーナ６０に形成されている貫通穴６１に圧入されて、その中間部がリテーナ６０に保持されている。コンタクト８０はリテーナ６０の、弾性シール部材５０の４つの開口５１ａに対応する箇所にそれぞれ整列保持されており、この例では各箇所に９本ずつ保持されている。なお、リテーナ６０の下面６０ａには各貫通穴６１の位置に対応して凸部６２がそれぞれ形成され、貫通穴６１はこの凸部６２に開口するように形成されている。
【００３３】
基板７０は方形状をなし、コンタクト８０が半田付け実装されるスルーホール７１が９×４＝３６個形成されている。なお、基板７０に形成されている配線パターンの図示は省略している。
【００３４】
下ハウジング４０は上ハウジング３０と組み立てられてハウジングを構成するもので、方形状の底板４１と底板４１の４辺に位置する側壁４２とを有する。互いに対向する一対の側壁４２の外面には互いに外向きに突出する取付け部４３が上ハウジング３０の取付け部３７と対応して形成されており、取付け部４３にはそれぞれ取付け穴４３ａが形成されている。
【００３５】
取付け部４３が形成されている側壁４２にはそれぞれ幅方向において取付け部４３を挟む両側に一対の延長片４４が側壁４２の上端から上方に突出延長されて形成されており、各延長片４４には窓４４ａが形成されている。側壁４２の上端の内周側には全周に渡って１段低い段部４２ａが形成されている。
【００３６】
一方、４つの側壁４２の内面における幅方向の各中央には底板４１の内部底面から所定の高さを有する設置部４５が形成されている。さらに、側壁４２には内外を貫通する貫通穴４６が２つ形成されている。図２では貫通穴４６にそれぞれブッシング９０が取り付けられた状態を示している。
【００３７】
上記のような構成において、上ハウジング３０、下ハウジング４０及びリテーナ６０は樹脂製とされ、弾性シール部材５０は例えばシリコーンゴム製とされる。
【００３８】
各部の組立てはリテーナ６０に圧入保持されているコンタクト８０を基板７０のスルーホール７１に通して半田付け実装し、このコンタクト８０が実装された基板７０を下ハウジング４０の４つの設置部４５上に設置する。そして、リテーナ６０上に弾性シール部材５０を搭載し、さらに上ハウジング３０を被せる。上ハウジング３０と下ハウジング４０は下ハウジング４０の４つの延長片４４に形成されている窓４４ａがそれぞれ上ハウジング３０の突起３８に引っ掛かることによって固定一体化され、これにより図１に示した集合型防水レセプタクルコネクタ１００が完成する。なお、２つのブッシング９０には基板７０に接続される＋，−２つの電源線が通るが、これら電源線の図示は省略している。
【００３９】
図４は集合型防水レセプタクルコネクタ１００に４つのプラグコネクタ２００が接続される様子を示したものであり、図５〜７は集合型防水レセプタクルコネクタ１００にプラグコネクタ２００が接続された状態を示したものである。なお、図５及び７はプラグコネクタ２００が４つ接続された状態を示し、図６はプラグコネクタ２００が２つ接続された状態を示している。プラグコネクタ２００はケーブルの端末に取り付けられるものであるが、ケーブルの図示は図４〜７では省略している。
【００４０】
まず、図６Ｂを参照して集合型防水レセプタクルコネクタ１００の内部構造（内部組み立て状態）を説明する。
【００４１】
弾性シール部材５０の４つのシール部５１は上ハウジング３０の凹部３３に嵌め込まれており、これにより上ハウジング３０の隔壁３４に形成されている第１の突出壁３５は弾性シール部材５０の仕切り壁５３に形成されている第１の溝５４に嵌め込まれている。また、上ハウジング３０に形成されている凸部３６は弾性シール部材５０の貫通穴５５に嵌め込まれている。弾性シール部材５０は上ハウジング３０の４つの嵌合穴３１の内端に配置され、４つのシール部５１の開口５１ａはそれぞれ嵌合穴３１に続いて位置されている。
【００４２】
リテーナ６０は弾性シール部材５０の凹部５６に嵌め込まれており、リテーナ６０に保持されているコンタクト８０の先端はそれぞれ上ハウジング３０の嵌合穴３１に位置されている。
【００４３】
弾性シール部材５０は上ハウジング３０とリテーナ６０とによって挟み込まれており、４つのシール部５１の各開口５１ａの下端はリテーナ６０によって蓋されている。なお、弾性シール部材５０のベース部５２の周縁部は下ハウジング４０の側壁４２の段部４２ａ上に位置して下ハウジング４０の側壁４２と上ハウジング３０の側壁３２とによって挟み込まれている。
【００４４】
基板７０はリテーナ６０の、シール部５１の開口５１ａを蓋する面とは反対面側に位置してリテーナ６０の下に位置しており、これにより基板７０は嵌合穴３１に露出しないようにされている。
【００４５】
このような構造を有する集合型防水レセプタクルコネクタ１００の嵌合穴３１にプラグコネクタ２００が嵌合されると、弾性シール部材５０のシール面５１ｂは、図６Ｂ，７Ｂに示したようにプラグコネクタ２００のハウジング２１０と密着し、これによりシール面５１ｂとハウジング２１０との間が防水されるものとなっている。
【００４６】
プラグコネクタ２００は、ハウジング２１０の一側面に設けられているロック片２２０が嵌合穴３１の凹溝３１ｂに挿入され、ロック片２２０に設けられている突部２２１が凹溝３１ｂの段部３１ｃに引っ掛かることによってロックされ、嵌合穴３１から抜け止めされる。
【００４７】
以上、この発明による集合型防水レセプタクルコネクタの実施例１の構成について説明したが、上述した集合型防水レセプタクルコネクタ１００によれば、以下のような効果を得ることができる。
【００４８】
１）弾性シール部材５０は各嵌合穴３１に独立して配されるものではなく、各嵌合穴３１に配されるシール部５１が一体化された構成を有し、各嵌合穴３１に続く開口５１ａ間の仕切り壁５３が上ハウジング３０とリテーナ６０とによって挟み込まれて保持された構造となっている。よって、プラグコネクタ２００の抜去に伴って弾性シール部材５０が離脱し、プラグコネクタ２００と共に弾性シール部材５０が抜去されてしまうといった不具合は発生しない。
【００４９】
２）上記のように弾性シール部材５０は上ハウジング３０とリテーナ６０とによって挟み込まれて保持される構造のため、図２３に示した従来の弾性シール部材１２のような被係止部１２ｂやそれが係止されるハウジング１１の設置部１７等は不要であり、その分、プラグコネクタ２００が嵌合される嵌合穴３１を密に集合して配置することができ、よって小型な集合型防水レセプタクルコネクタを実現することができる。
【００５０】
３）また、複数の嵌合穴３１における防水に対し、１つの弾性シール部材５０を組み込めばよいため、嵌合穴３１毎に個別に形成された弾性シール部材を組み込む構成に比べ、組立工数を削減することができる。
【００５１】
４）さらに、弾性シール部材５０の隣接する開口５１ａ間に位置する仕切り壁５３の上下面が上ハウジング３０の隔壁３４の下端面３４ａとリテーナ６０とによって単に挟まれている構造とすると、プラグコネクタ２００が嵌合穴３１に嵌合された際、隣接する嵌合穴３１にプラグコネクタ２００が嵌合されていない状態ではシール面５１ｂがプラグコネクタ２００によって押されることによって仕切り壁５３が変形し、隣接する嵌合穴３１に飛び出すといった状況が生じ、これによりその隣接する嵌合穴３１にプラグコネクタ２００を良好に嵌合できないといった問題が生じるが、この例ではこのような問題を回避することができるものとなっている。
【００５２】
即ち、この例では図６Ｂ，７Ｂに示したように仕切り壁５３に第１の溝５４を形成してその第１の溝５４に上ハウジング３０に設けた第１の突出壁３５を嵌め込む構造を採用しているため、仕切り壁５３の過大な変形は阻止され、隣接する嵌合穴３１に仕切り壁５３が飛び出すといったことは発生しない。よって、この例によれば全ての嵌合穴３１に良好にプラグコネクタ２００を嵌合することができ、良好な防水性能を得ることができる。
【実施例２】
【００５３】
図８はこの発明による集合型防水レセプタクルコネクタの実施例２の外観を示したものであり、図９及び１０は各部に分解して示したものである。また、図１１は図８に示した集合型防水レセプタクルコネクタ３００に４つのプラグコネクタ２００が接続される様子を示したものであり、図１２〜１４は集合型防水レセプタクルコネクタ３００にプラグコネクタ２００が接続された状態を示したものである。なお、図１２及び１４はプラグコネクタ２００が４つ接続された状態を示し、図１３はプラグコネクタ２００が２つ接続された状態を示している。これら図８〜１４において、上述した実施例１の構成と対応する部分には同一符号を付し、その詳細な説明を省略する。
【００５４】
実施例２では実施例１と違い、上ハウジング３０’には第１の突出壁３５はなく、また弾性シール部材５０’には第１の突出壁３５が嵌め込まれる第１の溝５４はなく、プラグコネクタ２００嵌合時の弾性シール部材５０’の仕切り壁５３の過大な変形、隣接する嵌合穴３１への飛び出しを実施例１とは異なる構成で防止するものとなっている。以下、この構成について説明する。
【００５５】
弾性シール部材５０’は仕切り壁５３の、リテーナ６０’と対向する面に、凹部５６に突出する第２の突出壁５７が全長に渡って形成されているものとされる。第２の突出壁５７はこの例では仕切り壁５３の壁の厚さと同じ厚さとされ、即ち仕切り壁５３が凹部５６に突出するように延長されて形成されている。
【００５６】
リテーナ６０’の、弾性シール部材５０’の開口５１ａを蓋する上面には略十字形状をなす第２の突出壁５７と合致する形状の第２の溝６３が形成されており、弾性シール部材５０’の凹部５６にリテーナ６０’が嵌め込まれると、弾性シール部材５０’の第２の突出壁５７は図１３Ｂ，１４Ｂに示したようにリテーナ６０’の第２の溝６３に嵌め込まれた状態となる。
【００５７】
実施例２ではこのように弾性シール部材５０’の仕切り壁５３に下方に延長形成された第２の突出壁５７がリテーナ６０’の第２の溝６３に位置して保持されることにより、プラグコネクタ２００が嵌合された際の弾性シール部材５０’の仕切り壁５３の過大な変形及びプラグコネクタ２００が嵌合されていない隣接する嵌合穴３１への飛び出しが防止されるものとなっている。
【００５８】
なお、この実施例２も前述した実施例１と同様の効果を有するが、実施例１と異なり、弾性シール部材５０’の仕切り壁５３には第１の溝５４を設ける必要はないため、その分、仕切り壁５３の厚さを薄くすることができ、これに対応して上ハウジング３０’の隔壁３４の厚さも薄くすることができる。よって、複数の嵌合穴３１を一段と密に集合配置することができ、さらに集合型防水レセプタクルコネクタを小型化することができる。
【実施例３】
【００５９】
図１５はこの発明による集合型レセプタクルコネクタの実施例３の外観を示したものであり、図１６及び１７は各部に分解して示したものである。また、図１８は図１５に示した集合型防水レセプタクルコネクタ４００に４つのプラグコネクタ２００が接続される様子を示したものであり、図１９〜２１は集合型防水レセプタクルコネクタ４００にプラグコネクタ２００が接続された状態を示したものである。なお、図１９及び２１はプラグコネクタ２００が４つ接続された状態を示し、図２０はプラグコネクタ２００が２つ接続された状態を示している。これら図１５〜２１において、前述した実施例１の構成と対応する部分には同一符号を付し、その詳細な説明を省略する。
【００６０】
この実施例３はプラグコネクタ２００嵌合時の弾性シール部材の仕切り壁５３の過大な変形、隣接する嵌合穴３１への飛び出しを防止する手段として、実施例１の構成と実施例２の構成を合わせ持つものとなっている。
【００６１】
即ち、上ハウジング３０は実施例１と同じで第１の突出壁３５を有し、弾性シール部材５０”は第１の溝５４と第２の突出壁５７を有し、リテーナ６０は第２の溝６３を有するものとなっている。
【００６２】
弾性シール部材５０”の仕切り壁５３は図２０Ｂ，２１Ｂに示したように、その第１の溝５４に上ハウジンング３０の第１の突出壁３５が嵌め込まれ、さらにその第２の突出壁５７がリテーナ６０の第２の溝６３に嵌め込まれるものとなっており、これによりプラグコネクタ２００が嵌合された際の仕切り壁５３の過大な変形及びプラグコネクタ２００が嵌合されていない隣接する嵌合穴３１への飛び出しの防止効果が強化されたものとなっている。
【００６３】
なお、弾性シール部材５０”の第２の突出壁５７は図２０Ｂ，２１Ｂに示したように、仕切り壁５３の壁の厚さと同じ厚さとされており、よってこの第２の突出壁５７が嵌め込まれるリテーナ６０の第２の溝６３は実施例２における第２の溝６３の溝幅より大とされている。
【００６４】
集合型防水レセプタクルコネクタとして、この実施例３の構成も採用することができるが、弾性シール部材の仕切り壁５３及び上ハウジングの隔壁３４を極力薄くして小型化を図る上では実施例２の構成を採用するのが好ましい。
【符号の説明】
【００６５】
１０  レセプタクルコネクタ              １１  ハウジング
１２  弾性シール部材                    １２ａ  本体部
１２ｂ  被係止部                        １２ｃ  外面突起
１２ｄ  内面突起                        １３  中空部
１４  ロック孔                          １５，１６  拡径部
１７  設置部                            ２０  プラグコネクタ
２１  ハウジング                        ２２  弾性係止片
２３  ロック突部                        ３０，３０’  上ハウジング
３０ａ  上面                            ３０ｂ  下面
３１  嵌合穴                            ３１ａ  角穴
３１ｂ  凹溝                            ３１ｃ  段部
３２  側壁                              ３３  凹部
３４  隔壁                              ３４ａ  下端面
３５  第１の突出壁                      ３６  凸部
３７  取付け部                          ３７ａ  取付け穴
３８  突起                              ４０  下ハウジング
４１  底板                              ４２  側壁
４２ａ  段部                            ４３  取付け部
４３ａ  取付け穴                        ４４  延長片
４４ａ  窓                              ４５  設置部
４６  貫通穴                            ５０，５０’，５０”  弾性シール部材
５０ａ  下面                            ５１  シール部
５１ａ  開口                            ５１ｂ  シール面
５１ｃ  突起                            ５２  ベース部
５３  仕切り壁                          ５４  第１の溝
５５  貫通穴                            ５６  凹部
５７  第２の突出壁                      ６０，６０’  リテーナ
６０ａ  下面                            ６１  貫通穴
６２  凸部                              ６３  第２の溝
７０  基板                              ７１  スルーホール
８０  コンタクト                        ９０  ブッシング
１００，３００，４００  集合型防水レセプタクルコネクタ
２００  プラグコネクタ                  ２１０  ハウジング
２２０  ロック片                        ２２１  突部
【図１】
2020205211.tif 000003
【図２】
2020205211.tif 000004
【図３】
2020205211.tif 000005
【図４】
2020205211.tif 000006
【図５】
2020205211.tif 000007
【図６】
2020205211.tif 000008
【図７】
2020205211.tif 000009
【図８】
2020205211.tif 000010
【図９】
2020205211.tif 000011
【図１０】
2020205211.tif 000012
【図１１】
2020205211.tif 000013
【図１２】
2020205211.tif 000014
【図１３】
2020205211.tif 000015
【図１４】
2020205211.tif 000016
【図１５】
2020205211.tif 000017
【図１６】
2020205211.tif 000018
【図１７】
2020205211.tif 000019
【図１８】
2020205211.tif 000020
【図１９】
2020205211.tif 000021
【図２０】
2020205211.tif 000022
【図２１】
2020205211.tif 000023
【図２２】
2020205211.tif 000024
【図２３】
2020205211.tif 000025